(57)【要約】【課題】運搬時のガタツキを抑えた遊技機を提供する。【解決手段】スロットマシンＳＭが、前方に開口１０ａを有する箱状に形成された基体部１０と、基体部１０に対して開口１０ａを開閉可能に取り付けられた前面扉２０と、基体部１０の下部右側に位置するタンク収容位置に収容され、余剰のメダルが貯留される補助タンク６０と、前面扉２０の後面側に設けられ、前面扉２０が基体部１０の開口１０ａを閉じた状態で補助タンク６０のタンク収容位置から前方への移動を規制する押さえ部７７とを備えて構成される。【選択図】図４
2015039433.tif 000002
【特許請求の範囲】
【請求項１】
前方に開口を有する箱状に形成された本体部材と、
前記本体部材に対して前記開口を開閉可能に取り付けられた開閉部材と、
前記本体部材の下部における所定の収容位置に収容され、余剰の遊技媒体が貯留される補助タンクと、
前記開閉部材の後面側に設けられ、前記開閉部材が前記開口を閉じた状態で前記補助タンクの前記収容位置から前方への移動を規制する押さえ部とを備えて構成されることを特徴とする遊技機。
【請求項２】
前記押さえ部は、前記開閉部材が前記開口を閉じる際、前記補助タンクが前記本体部材の下部における前記収容位置より前方に位置する場合に、前記補助タンクに当接して該補助タンクを前記収容位置に押し込むことができるように構成されることを特徴とする請求項１に記載の遊技機。
【請求項３】
前記開閉部材の後面側に前記開閉部材の前方を向くように取り付けられ、前記開閉部材が前記開口を閉じた状態で前記本体部材の内側に位置するスピーカーユニットと、
前記スピーカーユニットの後面側を覆うリアカバーとを備え、
前記リアカバーに前記押さえ部が設けられることを特徴とする請求項１または２に記載の遊技機。
【請求項４】
前記本体部材の下部における前記収容位置の近傍の第２の収容位置に収容され、遊技の結果に応じて遊技媒体を払い出す払出装置と、
前記開閉部材の後面側に設けられ、前記開閉部材が前記開口を閉じた状態で前記払出装置の前記第２の収容位置から前方への移動を規制する第２の押さえ部とを備えることを特徴とする請求項１から３のいずれか一項に記載の遊技機。
【請求項５】
前記開閉部材の後面側に前記開閉部材の前方を向くように取り付けられ、前記開閉部材が前記開口を閉じた状態で前記本体部材の内側に位置するスピーカーユニットと、
前記スピーカーユニットの後面側を覆うリアカバーとを備え、
前記リアカバーに前記押さえ部および前記第２の押さえ部が設けられることを特徴とする請求項４に記載の遊技機。
【発明の詳細な説明】
【技術分野】
【０００１】
本発明は、スロットマシン等の遊技機に関する。
【背景技術】
【０００２】
遊技機の一種であるスロットマシンは、リールを回転させるリールユニットと、遊技の結果に応じてメダルを払い出す払出装置と、これらを収容する箱状の基体部（本体部材）と、基体部の前面開口部を開閉可能な前面扉（開閉部材）とを備えている（例えば、特許文献１および引用文献２を参照）。また、スロットマシンは、払出装置で貯留しきれない余剰のメダルが貯留される補助タンクを備えており、払出装置とともに基体部の下部に収容されている。
【先行技術文献】
【特許文献】
【０００３】
【特許文献１】特開２００７−２６７８８８号公報
【特許文献２】特開２００９−２３３１２７号公報
【発明の概要】
【発明が解決しようとする課題】
【０００４】
しかしながら、このような遊技機では、運搬の際、内部の補助タンクや払出装置等が動いてガタツキが生じる可能性があった。
【０００５】
本発明は、このような課題に鑑みてなされたものであり、運搬時のガタツキを抑えた遊技機を提供することを目的とする。
【課題を解決するための手段】
【０００６】
このような目的達成のため、本発明に係る遊技機は、前方に開口を有する箱状に形成された本体部材と、前記本体部材に対して前記開口を開閉可能に取り付けられた開閉部材と、前記本体部材の下部における所定の収容位置に収容され、余剰の遊技媒体が貯留される補助タンクと、前記開閉部材の後面側に設けられ、前記開閉部材が前記開口を閉じた状態で前記補助タンクの前記収容位置から前方への移動を規制する押さえ部とを備えて構成される。
【発明の効果】
【０００７】
本発明によれば、遊技機の運搬時のガタツキを抑えることができる。
【図面の簡単な説明】
【０００８】
【図１】スロットマシンの正面図である。
【図２】スロットマシンの内部構造を示す正面図である。
【図３】スロットマシンの前面扉を示す背面図である。
【図４】図１における矢印IV−IVに沿って示す断面図である。
【図５】スロットマシンの基体部からメダル払出装置および補助タンクを取り外した状態を示す斜視図である。
【図６】（ａ）は補助タンクを前方から見た斜視図であり、（ｂ）は補助タンクを後方から見た斜視図である。
【図７】前面扉から右下部スピーカーユニットおよびリアカバーを取り外した状態を示す分解斜視図である。
【図８】（ａ）はリアカバーを後方から見た斜視図であり、（ｂ）はリアカバーを前方から見た斜視図である。
【図９】前面扉が開いた状態を示す平断面図である。
【図１０】前面扉が閉まる途中の状態を示す平断面図である。
【図１１】前面扉が閉まってリアカバーが補助タンクに当接する状態を示す平断面図である。
【図１２】前面扉が閉まってリアカバーがメダル払出装置に近接する状態を示す平断面図である。
【図１３】スロットマシンの変形例を示す平断面図である。
【発明を実施するための形態】
【０００９】
以下、本発明の好ましい実施形態について図面を参照して説明する。まず、図１〜図３を参照しながら、遊技機の実施形態としてスロットマシンＳＭの概要について説明する。なお、本実施形態において、図５の各矢印で示す方向をそれぞれ、上下方向、前後方向、左右方向として説明する。スロットマシンＳＭは、箱状の基体部１０と、前面扉２０とを主体に構成される。基体部１０は前方に開口１０ａを有する箱状に形成され、基体部１０の前部に前面扉２０が取り付けられる。前面扉２０は、不図示のヒンジ機構を用いて基体部１０の左前部に枢支され、基体部１０の開口１０ａを揺動開閉可能に構成される。
【００１０】
図２に示すように、基体部１０の内部中央には、３つのリール１２ａ，１２ｂ，１２ｃを備えるリールユニット１１が設けられ、前面扉２０に設けられたリール表示窓２２を通して３つのリール１２ａ，１２ｂ，１２ｃに描かれている図柄を視認することができるようになっている。基体部１０の内部下側には、スロットマシンＳＭに搭載された種々の装置に電源を供給する電源ユニット１３、メダルを貯留しておくホッパータンク５１を有したメダル払出装置５０、およびホッパータンク５１から溢れた余剰のメダルが貯留される補助タンク６０が設けられている。基体部１０の内部上側には、スロットマシンＳＭで行われる遊技を全体的に制御するメイン制御装置１５が設けられている。
【００１１】
図１に示すように、前面扉２０には前面枠２１が形成されており、前面枠２１の略中央部にリール表示窓２２が形成されている。前面扉２０の前面側中央には、リール表示窓２２の下方に位置して操作パネル２３が設けられている。操作パネル２３の前面側には、スタートスイッチ２４、および３つのストップスイッチ２５ａ，２５ｂ，２５ｃが設けられている。操作パネル２３の上面側には、各種ベットスイッチ２６、各種演出操作スイッチ２７、およびメダル投入口２８が設けられている。
【００１２】
前面扉２０の前面側上部には、所定の演出画像を表示する画像表示装置３０、および発光演出を行うフィーバーランプ３１が設けられている。前面扉２０の前面側下部には、各種装飾部材３２，３３、およびメダル払出装置５０から払い出されたメダルが貯留される受け皿３４が設けられている。
【００１３】
前面扉２０が基体部１０の開口１０ａを閉じた状態では、前面扉２０の後面側が基体部１０の内部側に位置する。図３に示すように、前面扉２０の後面側には、スロットマシンＳＭの演出制御を統括的に行うサブ制御装置３５、メダル投入口２８に投入されたメダルが所定の規格に適合するものか否かの選別を行うメダルセレクタ３６、左右の上部スピーカーユニット４１，４２、左右のサブスピーカーユニット４３，４４、および左右の下部スピーカーユニット４５，４６が設けられている。
【００１４】
次に、基体部１０の内部下側に収容されるメダル払出装置５０および補助タンク６０について、図４〜図６を追加参照しながら説明する。メダル払出装置５０は、図２および図４に示すように、ホッパータンク５１と、メダル払出ユニット５３とを有して構成される。ホッパータンク５１は、メダル払出ユニット５３の上部に設けられ、メダル投入口２８に投入されてメダルセレクタ３６で選別されたメダルが貯留されるようになっている。ホッパータンク５１の右側部には、ホッパータンク５１で貯留しきれない余剰のメダルを補助タンク６０に向けて流下させる余剰メダル排出孔５２が形成されている。メダル払出ユニット５３は、遊技の結果に応じて、ホッパータンク５１に貯留されたメダルを受け皿３４に払い出すようになっている。メダル払出装置５０は、基体部１０の底部中央に設けられた左右の取付レール５６，５７（図５を参照）を用いて、基体部１０の底部中央のホッパー収容位置に前後方向にスライド移動可能に収容される。
【００１５】
補助タンク６０は、図６に示すように、上部に開口を有する箱状に形成され、メダル払出装置５０の余剰メダル排出孔５２から排出されたメダルが貯留可能に構成される。また、補助タンク６０は、基体部１０の底部右側のホッパー収容位置に隣接するタンク収容位置に載置されて収容されるようになっている。補助タンク６０の後側壁部には、基体部１０の背板部に取り付けられた左右一対の満杯検知センサ６６，６７（図５を参照）が挿通される左右のセンサ挿通孔６１，６２が形成されている。補助タンク６０の上部前側には、補助タンク６０を基体部１０のタンク収容位置から前方に引き出しやすいように引手部６３が形成されている。補助タンク６０の上部後側には、補助タンク６０がタンク収容位置に収容されると基体部１０の背板部に当接する背板当接部６４が形成されている。
【００１６】
なお、左右の満杯検知センサ６６，６７は、図５に示すように、棒状に形成された接触式センサであり、基体部１０の背板部における右下部分に前方を向いて取り付けられる。これにより、左右の満杯検知センサ６６，６７は、補助タンク６０がタンク収容位置に収容された状態で補助タンク６０の内部に位置するようになっている。補助タンク６０内のメダルが左右の満杯検知センサ６６，６７の両方に所定時間を超えて接触すると、メイン制御装置１５は補助タンク６０がメダルで満杯であると判断するようになっている。
【００１７】
次に、前面扉２０の後面側に設けられた右下部スピーカーユニット４６および、右下部スピーカーユニット４６の後面側を覆うリアカバー７０について、図７〜図８を参照しながら説明する。右下部スピーカーユニット４６は、図７に示すように、振動板（図示せず）が前面扉２０の前方を向くように前面扉２０の右下部後面側に取り付けられる。前面扉２０における右下部スピーカーユニット４６と対向する部分には、右下部スピーカーユニット４６の振動板から前方に発せられた音を前面扉２０の前面側に導く右下部スピーカー穴４８が形成されている。
【００１８】
なお、前面扉２０の背面側左下部には、振動板（図示せず）が前面扉２０の前方を向くように左下部スピーカーユニット４５が取り付けられる。また、前面扉２０における左下部スピーカーユニット４５と対向する部分には、左下部スピーカーユニット４５の振動板から前方に発せられた音を前面扉２０の前面側に導く左下部スピーカー穴４７が形成されている（図１を参照）。
【００１９】
右下部スピーカーユニット４６のリアカバー７０は、ネジ等の固定手段（図示せず）を用いて、右下部スピーカーユニット４６とともに前面扉２０の右下部後面側に取り付け固定される。図８に示すように、リアカバー７０は、右下部スピーカーユニット４６の上部後面側を覆う上カバー部７１と、右下部スピーカーユニット４６の上部後面側より下側の部分を覆う下カバー部７２と、上カバー部７１および下カバー部７２から前方に突出するように延びてネジ等の固定手段（図示せず）が挿通される複数の取付けボス７３とを有している。
【００２０】
下カバー部７２は、上カバー部７１よりも後方に突出するように形成される。これにより、左下部スピーカーユニット４５と下カバー部７２との間に、左下部スピーカーユニット４５の振動板（図示せず）から後方に発せられた音が伝わる空間が形成されるようになっている。下カバー部７２の中央部には、左下部スピーカーユニット４５の中央後部が挿通されるスピーカー挿通孔７６が形成される。下カバー部７２の右側（後方から見て左側）には、補助タンク６０の前方への移動を規制する第１押さえ部７７が矩形板状に凹んで形成される。第１押さえ部７７の凹み部分に補助タンク６０の引手部６３の前部が入り込んだ状態で、第１押さえ部７７が補助タンク６０の引手部６３に当接（もしくは近接）して補助タンク６０の前方への移動を規制する。なお、第１押さえ部７７の凹み部分の上下寸法は、補助タンク６０の引手部６３の前部よりも大きくなっている。これにより、前面扉２０が開いた状態から基体部１０の開口１０ａを閉じるときに、前面扉２０が自重で設計位置より下がっていても、第１押さえ部７７の凹み部分に補助タンク６０の引手部６３が入り込めるようになっている。なお、第１押さえ部７７の凹み部分の上下寸法は、補助タンク６０の引手部６３の全体よりも大きくてもよい。下カバー部７２の左側（後方から見て右側）には、メダル払出装置５０の前方への移動を規制する第２押さえ部７８が扇状に凹んで形成される。
【００２１】
以上のように構成されるスロットマシンＳＭにおいて、前面扉２０が基体部１０の開口１０ａを閉じる際の、リアカバー７０の作動について説明する。なお、図９に示すように、前面扉２０が開いた状態で、メダル払出装置５０は基体部１０のホッパー収容位置に収容されているが、補助タンク６０は基体部１０のタンク収容位置から前方にずれた位置に載置されているものとする。図９に示す状態から、前面扉２０が基体部１０の開口１０ａを閉じる方向へ揺動すると、図１０に示すように、前面扉２０の揺動軌跡の外周側に位置するリアカバー７０の第１押さえ部７７が補助タンク６０の引手部６３に当接する。さらに、前面扉２０が基体部１０の開口１０ａを閉じる方向へ揺動すると、リアカバー７０の第１押さえ部７７が補助タンク６０の引手部６３を後方に押圧し、図１１に示すように、補助タンク６０が後方のタンク収容位置まで押し込まれる。
【００２２】
なおこのとき、リアカバー７０の第１押さえ部７７が補助タンク６０の引手部６３に当接するとともに、補助タンク６０の背板当接部６４が基体部１０の背板部に当接し、左右の満杯検知センサ６６，６７が補助タンク６０の左右のセンサ挿通孔６１，６２に挿通されて補助タンク６０の内部に位置する。またこのとき、図１２に示すように、リアカバー７０の第２押さえ部７８がメダル払出装置５０のホッパータンク５１に近接する。これにより、前面扉２０が基体部１０の開口１０ａを閉じた状態で、リアカバー７０の第１押さえ部７７が補助タンク６０のタンク収容位置から前方への移動を規制するとともに、リアカバー７０の第２押さえ部７８がメダル払出装置５０のホッパー収容位置から前方への移動を規制する。
【００２３】
このように、本実施形態では、前面扉２０の後面側に、補助タンク６０のタンク収容位置から前方への移動を規制する第１押さえ部７７と、メダル払出装置５０のホッパー収容位置から前方への移動を規制する第２押さえ部７８が設けられている。これにより、スロットマシンＳＭの運搬の際、第１押さえ部７７によって補助タンク６０の移動が規制され、第２押さえ部７８によってメダル払出装置５０の移動が規制されるため、スロットマシンＳＭの運搬時のガタツキを抑えることができる。
【００２４】
また、第１押さえ部７７は、前面扉２０が基体部１０の開口１０ａを閉じる際、補助タンク６０に当接して補助タンク６０をタンク収容位置に押し込むことができるように構成されている。これにより、前面扉２０が開いた状態で、補助タンク６０が基体部１０のタンク収容位置から前方にずれた位置に載置されていたとしても、前面扉２０を閉じるだけで確実に、補助タンク６０をタンク収容位置に収容することができる。なお、前面扉２０が開いた状態で、補助タンク６０がタンク収容位置に収容されていても、前面扉２０が開いた状態から閉じると、第１押さえ部７７が補助タンク６０の前方への移動を規制することができるのは言うまでもない。
【００２５】
また、右下部スピーカーユニット４６の後面側を覆うリアカバー７０に、第１押さえ部７７および第２押さえ部７８が設けられている。これにより、第１押さえ部７７および第２押さえ部７８を構成する部材を別途作成する必要がないため、部品点数を増やすことなく、スロットマシンＳＭの運搬時のガタツキを抑えることができる。また、左下部スピーカーユニット４５から発せられた音の振動がリアカバー７０を介して補助タンク６０に伝わるため、補助タンク６０内に貯留されたメダルをならす効果も期待できる。
【００２６】
上述の実施形態において、補助タンク６０がタンク収容位置に収容されると、補助タンク６０の背板当接部６４が基体部１０の背板部に当接しているが、これに限られるものではない。例えば、図１３に示すように、左右の満杯検知センサ６６，６７に代えて、左右の満杯検知センサ９６，９７を保持して基体部１０の背板部に取り付けられる板状の取付ベース９８を有した満杯検知ユニット９５を設け、当該取付ベース９８に補助タンク６０の後部が当接するようにしてもよい。これにより、リアカバー７０の第１押さえ部７７および満杯検知ユニット９５の取付ベース９８により補助タンク６０を挟んで固定することができる。
【００２７】
上述の実施形態において、前面扉２０が基体部１０の開口１０ａを閉じた状態で、リアカバー７０の第１押さえ部７７が補助タンク６０の引手部６３に当接して押圧するように構成されているが、これに限られるものではなく、タンク収容位置に収容された補助タンク６０の引手部６３に第１押さえ部７７が近接するだけで押圧しないように構成されてもよい。
【００２８】
上述の実施形態において、前面扉２０が基体部１０の開口１０ａを閉じた状態で、リアカバー７０の第２押さえ部７８がメダル払出装置５０のホッパータンク５１に近接するだけで押圧しないように構成されているが、これに限られるものではなく、メダル払出装置５０のホッパータンク５１に第２押さえ部７８が当接して押圧するように構成されてもよい。この場合、左下部スピーカーユニット４５から発せられた音の振動がリアカバー７０を介してホッパータンク５１に伝わるため、ホッパータンク５１内に貯留されたメダルをならす効果も期待できる。
【００２９】
上述の実施形態において、右下部スピーカーユニット４６の後面側を覆うリアカバー７０に、第１押さえ部７７および第２押さえ部７８が形成されているが、これに限られるものではなく、補助タンク６０やメダル払出装置５０の配置等、必要に応じて、前面扉２０の後面側の他の部材に形成されてもよい。また、第１押さえ部７７および第２押さえ部７８を構成する専用の押さえ部材を前面扉２０の後面側に取り付けるようにしてもよく、第１押さえ部７７および第２押さえ部７８を前面扉２０の後面側に一体的に形成するようにしてもよい。
【００３０】
上述の実施形態において、右下部スピーカーユニット４６の後面側を覆うリアカバー７０に、第１押さえ部７７および第２押さえ部７８が設けられているが、これに限られるものではなく、第１押さえ部７７および第２押さえ部７８のうちいずれか一方のみが設けられる構成であってもよい。
【００３１】
上述の実施形態において、本発明が適用される遊技機の一例として、スロットマシンＳＭを例示して説明したが、これに限定されるものではなく、例えば、雀球遊技機や、アレンジボール機、パチンコ機などについても同様に適用し、同様の効果を得ることができる。
【符号の説明】
【００３２】
ＳＭ  スロットマシン（遊技機）
１０  基体部（本体部材）
２０  前面扉（開閉部材）
４６  右下部スピーカーユニット
５０  メダル払出装置
５１  ホッパータンク
５３  メダル払出ユニット
６０  補助タンク
６３  引手部
６４  背板当接部
７０  リアカバー
７７  第１押さえ部
７８  第２押さえ部
【図１】
2015039433.tif 000003
【図２】
2015039433.tif 000004
【図３】
2015039433.tif 000005
【図４】
2015039433.tif 000006
【図５】
2015039433.tif 000007
【図６】
2015039433.tif 000008
【図７】
2015039433.tif 000009
【図８】
2015039433.tif 000010
【図９】
2015039433.tif 000011
【図１０】
2015039433.tif 000012
【図１１】
2015039433.tif 000013
【図１２】
2015039433.tif 000014
【図１３】
2015039433.tif 000015